【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】
所要の走行コースに沿い、遊戯者着席用シートの旋回を伴って走行する遊戯乗物において、
垂直旋回軸を有する枢支台を備える台車と、
前記垂直旋回軸を中心に左右方向に対し旋回可能に前記枢支台に支持され、かつ、上端にバネ復元機構を有し、該バネ復元機構を介して前記遊戯者着席用シートが取付けられたシート支柱を備えるシート支持床部と、
前記シート支持床部を旋回させるシート支持部旋回装置と、
前記シート支持床旋回装置の制御を行う旋回制御装置と、
を備え、
前記バネ復帰機構は、前記シート旋回手段により、前記遊戯者着席用シートに遠心力が与えられたとき、該遊戯者着席用シートを該シートの前後方向へ揺動させる
ことを特徴とする遊戯乗物。
【請求項２】
前記遊戯者用着席シートの外側両端で、かつ前記シート支持床部に掴持柱と該掴持柱の上面に備えられた掴持棒とからなる掴持部材を立設する、請求項１に記載の遊戯乗物。
【請求項３】
前記シート支柱が少なくとも２以上備えられている、請求項１および請求項２に記載の遊戯乗物。
【請求項４】
前記走行コースは、
少なくとも弯曲する弯曲部が設けられ、前記遊戯乗物が前記弯曲部を走行することにより、前記遊戯者着席用シートに遠心力が与えられる、請求項１ないし請求項３に記載の遊戯乗物。
【請求項５】
前記走行コースは、左右１対のレールからなるとともに、上下へ起伏し、かつ、前記弯曲部で左右いずれかに傾斜しており、かつ、
前記台車は前記レールの各々に接して回転する複数の車輪を有する、請求項１ないし請求項４に記載の遊戯乗物。
【請求項６】
前記シート支持床部は、所定角度の範囲内で旋回可能に構成される、請求項１ないし請求項５に記載の遊戯乗物。
【請求項７】
請求項１ないし請求項６に記載の旋回制御手段は、
前記走行コース上の所定の位置で前記シート支持床部を旋回させるように制御する、遊戯乗物。
【請求項８】
請求項１ないし請求項７に記載の遊戯乗物は、
前記シート支持床部の旋回開始位置の検出を行う位置検出手段をさらに備え、
前記位置検出手段からの位置検出情報に応じて、前記シート旋回手段を旋回制御手段によって制御する、遊戯乗物。
【請求項９】
前記遊戯乗物を所要の走行コースに沿って走行させることができる、請求項１ないし請求項８のいずれか１項に記載の乗物遊戯設備。
【手続補正２】
【補正対象書類名】明細書
【補正対象項目名】０００９
【補正方法】変更
【補正の内容】
【０００９】
また、請求項２記載のように発明を構成することにより、遊戯乗物のシートに着席している遊戯者の急激なまたは大きな前後・上下方向姿勢変化によって、遊戯者が恐怖感を持った際に、遊戯者が前記車体と一体の掴持部材を持って、大きな姿勢変化を或る程度阻止することができ、恐怖感を緩和し、または安心感を与えることができる。そして、前記掴持部材を遊戯者が持つことにより、遠心力の大きさを、腕で体感することができる。
【手続補正３】
【補正対象書類名】明細書
【補正対象項目名】００１０
【補正方法】変更
【補正の内容】
【００１０】
さらに、請求項４記載のように発明することにより、遊戯乗物が走行コースの弯曲部を走行する際に発生する遠心力を遊戯者は受け、該弯曲部から外方へ放出される感覚を感じ、スリルを味わうことができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２２
【補正方法】変更
【補正の内容】
【００２２】
そして、循環経路２の高さは、所要個所毎に数値（ミリ単位）が付される高さに設定されている。すなわち、高さ７０ｃｍのプラットフォーム区域２ａから第１上昇区域２ｂにおける高さ１０ｃｍの入口２ｂｉに亘って循環経路２は緩やかに下方へ傾斜し、第１上昇区域２ｂにおいては、後述する上昇駆動装置５が設けられ、第１上昇区域２ｂの出口２ｂｅの高さは６２０ｃｍに設定され、それから高さ３３０ｃｍの第１低区域２ｄ，高さ５６０ｃｍの第１高区域２ｅ，高さ７５ｃｍの第２低区域２ｆ，高さ３６０ｃｍの第２高区域２ｇ，高さ６０ｃｍの第３低区域２ｈを経て、第２上昇区域２ｃの高さ１１２ｃｍの入口２ｃｉに接続され、第１上昇区域２ｂの出口２ｂｅから第２上昇区域２ｃの入口２ｃｉ間の高区域２ｅ，２ｇは、いずれも第１上昇区域２ｂの出口２ｂｅよりも低く設定されている。
【手続補正１４】
【補正対象書類名】明細書
【補正対象項目名】００２５
【補正方法】変更
【補正の内容】
【００２５】
さらにまた、レール支持体７は、左右で直立した支柱８と、該左右１対の支柱８の底部に高剛性でその両端が一体に結合された連結部材９とよりなり、該支柱８の上端から外側に向けてブラケット10が一体に突設され、該ブラケット10の先端に円管状のレール11が一体に装着されるとともに、該支柱８の上端から内方へブラケット12（図４参照）が一体に設けられている。
【手続補正１５】
【補正対象書類名】明細書
【補正対象項目名】００２６
【補正方法】変更
【補正の内容】
【００２６】
また、循環経路２におけるプラットフォーム区域２ａの外側にプラットフォーム13が配設されるとともに、第１、第２上昇区域２ｂ，２ｃには、図４に図示されるように、レール支持体７の連結部材９の中央上方に位置し、図３に図示されるようにレール11と平行して２点鎖線で図示される無端チェン14が張設されており、該無端チェン14の上方部分が、傾斜したレール11（図示されていない）に沿い上方へ向って回送されるように、上昇駆動装置５が構成されており、後述するように、遊戯乗物１が上方へ上昇駆動されるようになっている。
【手続補正１６】
【補正対象書類名】明細書
【補正対象項目名】００３３
【補正方法】変更
【補正の内容】
【００３３】
さらに、シート支持床部42の長手方向に沿って、シート48の外側方と両シート48の中間とに４本の肘掛け51が設けられ、該肘掛け51の外側に掴持柱52が立設され、該掴持柱52の上半部はシート48の前方に向って上方へ傾斜し、その上面に掴持棒52ａの両端が一体に装着されている。
【手続補正１７】
【補正対象書類名】明細書
【補正対象項目名】００３５
【補正方法】変更
【補正の内容】
【００３５】
そして、主フレーム15に対するシート支持床部42の旋回位置の検出は、図示されないセンサーで行なわれ、旋回モータ44に対する電力の供給・遮断の制御が自動的に遂行されるようになっている。
【手続補正１８】
【補正対象書類名】明細書
【補正対象項目名】００５３
【補正方法】変更
【補正の内容】
【００５３】
さらに、遊戯乗物１が循環経路２の弯曲部にさしかかって、シート48および遊戯者に遠心力が加わった際には、シート支持床部42およびシート48は殆んど弯曲部の外側では、遊戯乗物１の走行速度は低く、小さな遠心力を遊戯者は受け、プラットフォーム区域２ａと第１上昇区域入口２ｂｉの中間の弯曲部と、第３低区域２ｈと第２上昇区域入口２ｃｉの中間の弯曲部と、第２上昇区域出口２ｃｅと第４低区域２ｉの中間の弯曲部の内側において、遊戯乗物１は高速に走行して遊戯者の前方に向う大きな遠心力を遊戯者は受け、循環経路２から外方へ放出される感覚を感じ、スリルを味わうことができる。